(57)【要約】【課題】  螺合を用いた配管部材の接続構造について、適正位置まで螺合が完了したことが容易に判別可能な接続構造を提供すること、及び当該接続構造について意匠性の向上、外部からの圧力によって緩みが生じない接続構造を提供することを目的とする。【解決手段】  弁軸４は雄螺子部１１の中程側面より雌螺子部１２の側面に向けて係合部１３である突起１４が突出されている。弁蓋５の雌螺子部１２は上端から下方に向けて被係合部１６である切り欠き状の溝部１７が形成されており、外周方向に応力が加わった際、拡径するように撓むことが可能となっている。上記係合部１３と被係合部１６が係合する位置まで雄螺子部１１と雌螺子部１２を螺合させることによって弁軸４と弁蓋５が接続される。【選択図】図５
2020070631.tif 000002
【特許請求の範囲】
【請求項１】
螺合による配管部材の接続構造であって、
雄螺子部側の部材又は雌螺子部側の部材のどちらか一方の側面より他方の側面に向けて突設された係合部を備え、
上記係合部は他方に形成された被係合部と係合することを特徴とする配管部材の接続構造。
【請求項２】
前記係合部と被係合部は、
適正位置まで螺合が完了した際に係合することを特徴とする請求項１に記載の配管部材の接続構造。
【請求項３】
前記被係合部は、
係合部と係合する溝部であることを特徴とする請求項１又は請求項２に記載の配管部材の接続構造。
【請求項４】
前記係合部は、
雄螺子部又は雌螺子部の螺合終了側に形成されていることを特徴とする請求項１乃至請求項３のいずれか１つに記載の配管部材の接続構造。
【請求項５】
前記雄螺子部又は雌螺子部の一方は、排水口を閉塞する弁蓋に形成されるとともに、
他方は上記弁蓋を支持する弁軸に形成されていることを特徴とする請求項１乃至請求項４のいずれか１つに記載の配管部材の接続構造。
【発明の詳細な説明】
【技術分野】
【０００１】
本発明は、螺合を用いた配管部材の接続構造に関するものである。
【背景技術】
【０００２】
洗面ボウルやシンク、浴槽等の使用により排水が生じる設備には、当該使用により生じた排水を下流側へと排水するための配管部材が備えられている。
【０００３】
ここで、上記配管部材の接続を螺合によって行う場合、適正な位置まで螺合を進めないと漏水等の恐れが生じる。即ち、螺合が弱いと水密な接続を行うことが不可能となり、逆に螺合が強すぎると部材に割れが生じる。又、螺合に緩みが生じた場合にも同様に、漏水等の恐れが生じる。
【０００４】
上記問題に対し、特許文献１に記載の接続構造においては、螺合の軸方向に係合部及び被係合部を設けている。当該係合部と被係合部は螺合完了時に係合し、緩み止めを行うとともに、係合時の触感によって作業者に螺合完了を判別させることが可能となる。
【０００５】
しかし、上記特許文献１に記載の接続構造は外部に係合部や被係合部が露出していることから意匠性が悪く、又、外部からの圧力によって係合が解除される恐れがあった。
【先行技術文献】
【特許文献】
【０００６】
【特許文献１】特開２０１４−２３４５９１号公報
【発明の概要】
【発明が解決しようとする課題】
【０００７】
本発明は上記問題に鑑み、螺合を用いた配管部材の接続構造について、適正位置まで螺合が完了したことが容易に判別可能な接続構造を提供すること、及び当該接続構造について意匠性の向上、外部からの圧力によって緩みが生じない接続構造を提供することを目的とする。
【課題を解決するための手段】
【０００８】
上記課題を解決するための請求項1に記載の本発明は、螺合による配管部材の接続構造であって、
雄螺子部側の部材又は雌螺子部側の部材のどちらか一方の側面より他方の側面に向けて突設された係合部を備え、
上記係合部は他方に形成された被係合部と係合することを特徴とする配管部材の接続構造である。
【０００９】
請求項２に記載の本発明は、前記係合部と被係合部は、
適正位置まで螺合が完了した際に係合することを特徴とする請求項１に記載の配管部材の接続構造である。
【００１０】
請求項３に記載の本発明は、前記被係合部は、
係合部と係合する溝部であることを特徴とする請求項１又は請求項２に記載の配管部材の接続構造である。
【００１１】
請求項４に記載の本発明は、前記係合部は、
雄螺子部又は雌螺子部の螺合終了側に形成されていることを特徴とする請求項１乃至請求項３のいずれか１つに記載の配管部材の接続構造である。
【００１２】
請求項５に記載の本発明は、前記雄螺子部又は雌螺子部の一方は、排水口を閉塞する弁蓋に形成されるとともに、
他方は上記弁蓋を支持する弁軸に形成されていることを特徴とする請求項１乃至請求項４のいずれか１つに記載の配管部材の接続構造である。
【発明の効果】
【００１３】
本発明によれば、螺合を用いた配管部材の接続構造について、適正な位置まで螺合が完了したことが容易に判別可能となる。又、当該接続構造について意匠性の向上、及び外部からの圧力に対する抗力の向上を図ることが可能となる。
【図面の簡単な説明】
【００１４】
【図１】本発明の施工状態を示す断面図である。
【図２】弁軸端部を示す斜視図である。
【図３】弁軸と弁蓋を示す断面図である。
【図４】弁軸と弁蓋の接続時における係合部の位置を示す参考図である。
【図５】弁軸と弁蓋の接続過程を示す断面図である。
【図６】接続完了状態を示す断面斜視図である。
【図７】本発明の施工状態を示す断面図である。
【図８】弁軸端部を示す斜視図である。
【図９】弁軸と弁蓋を示す断面図である。
【図１０】弁軸と弁蓋の接続時における係合部の位置を示す参考図である。
【図１１】弁軸と弁蓋の接続過程を示す断面図である。
【図１２】接続完了状態を示す断面斜視図である。
【図１３】その他の実施形態を示す断面図である。
【発明を実施するための形態】
【００１５】
以下、図面を参照しながら本発明の配管部材の接続構造を説明する。尚、以下に記載する説明は実施形態の理解を容易にするためのものであり、これによって発明が制限して理解されるものではない。
【００１６】
図１に示すように、本発明は洗面台の槽体Ｂに取り付けられる弁体３における、弁軸４と弁蓋５の接続構造に関するものである。
【００１７】
槽体Ｂは上方が開放された箱状であって、その底面に開口が形成されている。当該開口には内部に排水口１を形成する筒状の排水栓２が配置されており、槽体Ｂ内部の湯水を下水側へと排出する。
【００１８】
弁体３は槽体Ｂの排水口１を開閉する弁部材であって、弁軸４、弁蓋５、目皿１０から構成され、弁軸４と雌螺子部１２はそれぞれ雄螺子部１１と雌螺子部１２を有し、螺合により接続される。尚、螺合が進むにつれて弁軸４は弁蓋５の上端に向けて摺動することから、本実施形態おいて、雄螺子部１１は上端側が螺合開始側且つ下端側が螺合終了側であり、雌螺子部１２は下端側が螺合開始側且つ上端側が螺合終了側である。
【００１９】
弁軸４は弁蓋５に形成された雌螺子部１２と螺合する雄螺子部１１を上端に有する棒状体であり、目皿１０が挿通されている。
上記雄螺子部１１には弁蓋５が螺合されているとともに、図２に示すように、下端に係合部１３である突起１４と、位置決め部１５が突設されている。
突起１４は雄螺子部１１の中程側面より雌螺子部１２の側面に向けて突出されている。
位置決め部１５は雄螺子部１１下端において、側面より雌螺子部１２の側面に向けて突出されており、その突出量は上記突起１４よりも大きい。
【００２０】
図３に示すように、弁蓋５は排水口１を閉塞する平面視円形の蓋部材であって、本体部６と被覆部８から構成されている。
本体部６は周囲にパッキン９が嵌着されているとともに、その中央に弁軸４が取り付けられるための筒状部７が形成されている。
筒状部７は平面視略Ｃ字状であって、内部に雌螺子部１２が形成されているとともに、上端から下方に向けて被係合部１６である切り欠き状の溝部１７が形成されており、外周方向に応力が加わった際、拡径するように撓むことが可能となっている。尚、溝部１７の幅は上記突起１４の幅よりやや大きい程度となっている。
雌螺子部１２は溝部１７を始点及び終点として略１周程度形成されており、上記雄螺子部１１と対応するピッチ及び突出量を有する。
被覆部８は本体部６の上面を覆い隠す意匠面であり、ステンレス材によるカシメ加工によって本体部６に取り付けられている。
【００２１】
目皿１０は上下方向に複数の開口が形成された網状であり、槽体Ｂから排出される湯水中のゴミ等を捕集する。又、目皿１０はその中央に弁軸４が挿通される開口が形成されている。尚、本実施形態において、目皿１０は弁軸４の上方と下方の２箇所に配置され、上方に配置された目皿１０は主に排水口１から排出される湯水中のゴミ等を捕集し、下方に配置された目皿１０は主にオーバーフロー流路から排出される湯水中のゴミ等を捕集する。
【００２２】
上記弁体３の組み立ての際には、弁軸４を目皿１０に挿通した状態で、係合部１３と被係合部１６が係合する位置まで雄螺子部１１と雌螺子部１２を螺合させることによって弁軸４と弁蓋５が接続される。
上記螺合について詳述すると、図４や図５（ａ）に示すように、係合部１３が雌螺子部１２に当接していない位置Ｐ１にある時、作業者は軽い力で螺合を進めることが可能となる。一方、上記係合部１３と雌螺子部１２の螺合開始側端部が当接する位置Ｐ２まで螺合が進められると、係合部１３によって雌螺子部１２が外側に向けて押圧される。この時、雌螺子部１２は被係合部１６として切り欠き状の溝部１７が形成されていることから、雌螺子部１２が拡径するように外側に撓む。これにより、係合部１３が雌螺子部１２を押し広げつつ螺合が進み、係合部１３が被係合部１６と係合する位置Ｐ３に移行することで、図５（ｂ）及び図６に示す接続完了状態となる。
上記接続完了時において係合部１３と被係合部１６が係合した際、拡径されていた雌螺子部１２は係合部１３による押圧が消失することにより、自身の弾性によって縮径し、元の形状に復帰する。この時、作業者は螺合に必要な応力が低減され、触感により適正位置まで螺合が完了したことを判別することができる。又、上記係合の際には係合に伴う音が生じることから、作業者は聴覚によっても螺合の完了を判別することができる。
又、接続完了時には位置決め部１５が雌螺子部１２の螺合開始側端部に当接し、それ以上螺合を進めることが不可能となる。
【００２３】
上記弁軸４と弁蓋５の接続を解除する際には、接続時と逆方向に弁軸４と弁蓋５を回転させる。この時、係合部１３が被係合部１６を再び押圧することによって雌螺子部１２を外側に撓ませ、係合部１３と被係合部１６の係合が解除される。その後は解除方向に弁軸４又は弁蓋５を回転させるだけで弁軸４と弁蓋５を分離させることが可能となる。
【００２４】
次に、第二実施形態に係る配管部材の接続構造について説明する。尚、第二実施形態に係る配管部材は上記第一実施形態と同様に弁体３に関するものであり、図７に示すように、槽体Ｂに関する記載は第一実施形態と同一のため省略する。
【００２５】
弁体３は槽体Ｂの排水口１を開閉する弁部材であって、弁軸４、弁蓋５、目皿１０から構成され、弁軸４と雌螺子部１２はそれぞれ雄螺子部１１と雌螺子部１２を有し、螺合により接続される。尚、螺合が進むにつれて弁軸４は弁蓋５の上端に向けて摺動することから、本実施形態おいて、雄螺子部１１は上端側が螺合開始側且つ下端側が螺合終了側であり、雌螺子部１２は下端側が螺合開始側且つ上端側が螺合終了側である。
【００２６】
弁軸４は弁蓋５に形成された雌螺子部１２と螺合する雄螺子部１１を上端に有する棒状体であり、目皿１０が挿通されている。
上記雄螺子部１１は図８に示すように、その内部が中空である平面視略Ｃ字状であるとともに、上端から下方に向けて被係合部１６として切り欠き状の溝部１７が形成されており、中心方向に応力が加わった際に撓むことで縮径することが可能となっている。尚、溝部１７の幅は突起１４の幅よりやや大きい程度となっている。
【００２７】
弁蓋５は排水口１を閉塞する平面視円形の蓋部材であって、本体部６と被覆部８から構成されている。
本体部６は周囲にパッキン９が嵌着されているとともに、その中央に弁軸４が取り付けられるための筒状部７が形成されている。
筒状部７は内部に上記雄螺子部１１と対応するピッチ及び突出量を有する雌螺子部１２が形成されているとともに、雌螺子部１２の螺合終了側である上端に、係合部１３である突起１４が突設されている。
突起１４は雌螺子部１２よりも螺合終了側に形成され、雄螺子部１１の側面に向けて突出している。
被覆部８は本体部６の上面を覆い隠す意匠面であり、ステンレス材によるカシメ加工によって本体部６に取り付けられている。
【００２８】
目皿１０は上下方向に複数の開口が形成された網状であり、槽体Ｂから排出される湯水中のゴミ等を捕集する。又、目皿１０はその中央に弁軸４が挿通される開口が形成されている。尚、本実施形態において、目皿１０は弁軸４の上方と下方の２箇所に配置され、上方に配置された目皿１０は主に排水口１から排出される湯水中のゴミ等を捕集し、下方に配置された目皿１０は主にオーバーフロー流路から排出される湯水中のゴミ等を捕集する。
【００２９】
上記弁体３の組み立ての際には、弁軸４を目皿１０に挿通した状態で、係合部１３と被係合部１６が係合する位置まで雄螺子部１１と雌螺子部１２を螺合させることによって弁軸４と弁蓋５が接続される。
上記螺合について詳述すると、図１０や図１１（ａ）に示すように、係合部１３が雄螺子部１１と当接していない位置Ｐ１にある時、作業者は軽い力で螺合を進めることが可能である。一方、上記係合部１３と雄螺子部１１の螺合開始側端部が当接する位置Ｐ２にまで螺合が進められると、係合部１３によって雄螺子部１１が内側に向けて押圧される。この時、雄螺子部１１はその内部が中空であるとともに、切り欠き状の溝部１７が形成されていることから、当該押圧によって雄螺子部１１が縮径するように内側に撓む。これにより、係合部１３が雄螺子部１１を縮径させつつ螺合が進み、係合部１３が被係合部１６と係合する位置Ｐ３移行することで、図１１（ｂ）及び図１２に示す接続完了状態となる。
上記接続完了時において係合部１３と被係合部１６が係合した際、縮径されていた雄螺子部１１は係合部１３による押圧が消失することにより、自身の弾性によって拡径し、元の形状に復帰する。この時、作業者は螺合に必要な応力が低減され、触感により適正位置まで螺合が完了したことを判別することができる。又、上記係合の際には係合に伴う音が生じることから、作業者は聴覚によっても螺合の完了を判別することができる。
【００３０】
上記弁軸４と弁蓋５の接続を解除する際には、接続時と逆方向に弁軸４と弁蓋５を回転させる。この時、係合部１３が被係合部１６を再び押圧することによって雄螺子部１１を内側に撓ませ、係合部１３と被係合部１６の係合が解除される。その後は解除方向に螺合を進めるだけで弁軸４と弁蓋５を分離させることが可能となる。
【００３１】
本発明の配管部材の接続構造においては、雄螺子部側の部材又は雌螺子部側の部材のどちらか一方の側面より他方の側面に向けて係合部を突設し、他方に被係合部を形成している。従って、作業者は係合に伴う触感や音によって螺合が適正に成されたことを判別することができる。又、係合部と被係合部の係合によって、適正に螺合された状態の螺子が緩むことなく、好適な状態を維持することが可能となる。
又、係合部と被係合部の係合箇所は雌螺子部や本体部、被覆部等によって覆われており、外部に露出しない。従って、外部からの応力によって係合が解除されることを防ぐことが可能となるとともに、意匠性が向上する。
【００３２】
本発明は上記実施形態の形状に限られるものではなく、発明の要旨を逸脱しない範囲において種々の形状変更を行っても良いものである。例えば、図１３に示すその他の実施形態のように、係合部１３は弁軸４の先端に嵌着されたＯリングであって、雄螺子部１１や雌螺子部１２とは離間した位置に形成されていても良い。同様に、被係合部１６が雄螺子部１１や雌螺子部１２と離間した位置に形成されても良い。又、上記その他の実施形態において係合部１３はＯリングから成るものであったが、係合部１３や被係合部１６を形成するにあたり、材質について何ら限定されるものではない。
又、上記第一実施形態において、筒状部７は平面視略Ｃ字状であって、被係合部１６としての溝部１７が形成されていたが、溝部１７が被係合部１６を兼ねなくとも良い。即ち、筒状部７の内側面に係合部１３としての突起１４を形成し、雄螺子部１１の一部を切り欠くことによって被係合部１６を構成しても良い。この場合、溝部１７は係合部１３が雄螺子部１１を乗り越える際に、筒状部７が外側に撓ませる効果を奏する。
又、上記第二実施形態は雄螺子部１１に切り欠き状の溝部１７である被係合部１６が形成されているが、上記その他の実施形態のように、雄螺子部１１の螺合開始側端部よりも上方に被係合部１６を構成しても良い。このようにすることで、螺合時において、筒状部７に形成された係合部１３が雄螺子部１１を押圧する前に係合を行うことが可能となることから、軽い力で部材同士を接続することができる。
【００３３】
又、上記各実施形態において、弁体の昇降動作は弁体から離間した位置に配設された操作部によって行われるものであるが、弁蓋を直接押動することで昇降動作を行うとともに、弁軸内部に配置されたロック機構によって上記昇降状態を保持する構造の弁体であっても良い。
又、弁蓋側に雄螺子部が形成されており、弁軸側に雌螺子部が形成されていても良い。
又、上記各実施形態において、被係合部はスリット状の溝部であったが、被係合部も係合部側へ向けて突設された突起であっても良い。
又、上記各実施形態においては、弁蓋と弁軸の接続構造に関するものであったが、配管部材の接続構造であれば、どのような部材、どのような場所に使用されても良い。
【符号の説明】
【００３４】
Ｂ        槽体
１        排水口
２        排水栓
３        弁体
４        弁軸
５        弁蓋
６        本体部
７        筒状部
８        被覆部
９        パッキン
１０      目皿
１１      雄螺子部
１２      雌螺子部
１３      係合部
１４      突起
１５      位置決め部
１６      被係合部
１７      溝部
【図１】
2020070631.tif 000003
【図２】
2020070631.tif 000004
【図３】
2020070631.tif 000005
【図４】
2020070631.tif 000006
【図５】
2020070631.tif 000007
【図６】
2020070631.tif 000008
【図７】
2020070631.tif 000009
【図８】
2020070631.tif 000010
【図９】
2020070631.tif 000011
【図１０】
2020070631.tif 000012
【図１１】
2020070631.tif 000013
【図１２】
2020070631.tif 000014
【図１３】
2020070631.tif 000015